(57)【特許請求の範囲】
【請求項１】
作成すべき封書ごとに封筒及び内容物をそれぞれ印刷する印刷部と、前記印刷部で印刷された前記封筒を搬送する第１の搬送経路と、前記印刷部で印刷された前記内容物を搬送する第２の搬送経路と、前記第１の経路と前記第２の経路が合流する位置に配置され、前記封筒に前記内容物を封入した後に封緘する封入封緘部とを有する封書作成装置において、
ジャムの発生により封書の作成が中断した後に、装置中に滞留している内容物及び封筒が全て取り除かれたことを条件として、作成が中断した封書の封筒が装置に供給されていたか否かに応じて印刷の制御を行い、
作成が中断した封書の封筒が装置に供給されていた場合には、作成が中断した封書の内容物を始めから作成して封入封緘することなく排出し、
作成が中断した封書の封筒が装置に供給されていない場合には、作成が中断した封書の作成を始めから再開するように制御する制御手段を有することを特徴とする封書作成装置。
【請求項２】
作成すべき封書ごとに封筒及び内容物をそれぞれ印刷する印刷部と、前記印刷部で印刷された前記封筒を搬送する第１の搬送経路と、前記印刷部で印刷された前記内容物を搬送する第２の搬送経路と、前記第１の経路と前記第２の経路が合流する位置に配置され、前記封筒に前記内容物を封入した後に封緘する封入封緘部とを有する封書作成装置において、
ジャムの発生により封書の作成が中断した後に、装置中に滞留している内容物及び封筒が全て取り除かれたことを条件として、作成が中断した封書の封筒が装置に供給されていたか否か及びユーザが選択した印刷モードに応じて印刷の制御を行なう制御手段を有することを特徴とする封書作成装置。
【請求項３】
前記制御手段は、
前記印刷モードが機密優先モードであり、
作成が中断した封書の封筒が装置に供給されていた場合には、作成が中断した封書の内容物の残り頁を作成してそのまま排出し、
作成が中断した封書の封筒が供給されていない場合には、作成が中断した封書の内容物の残り頁及び封筒を作成してそのまま排出するように制御することを特徴とする請求項２記載の封書作成装置。
【請求項４】
前記制御手段は、
前記印刷モードが誤封入防止優先モードであり、
作成が中断した封書の封筒が装置に供給されていた場合には、中断した封書の内容物を１枚目から作成してそのまま排出し、
作成が中断した封書の封筒が供給されていない場合には、作成が中断した封書の作成を始めから再開するように制御することを特徴とする請求項２記載の封書作成装置。
【請求項５】
前記制御手段は、
前記印刷モードが速度優先モードであり、
作成が中断した封書の封筒が装置に供給されていたか否かに関わらず、作成が中断した封書の作成を始めから再開するように制御することを特徴とする請求項２記載の封書作成装置。
【発明の詳細な説明】
【技術分野】
【０００１】
本発明は、封筒又は封筒となる用紙と内容物の用紙に印刷を施し、封筒に内容物を封入して封緘する作業を自動的に行なうことができる封書作成装置に係り、特に工程中にジャムが発生した後に工程を再開した場合においても、必要な封書の作成に漏れがなく、また封筒の宛先と内容物が正確に対応しており誤封入が発生しにくいリカバリ処理を行なうことができる封書作成装置に関するものである。
【背景技術】
【０００２】
企業の営業部門や小売業者等がＤＭ（ダイレクトメール）の製作を行なう場合に利用する装置の選択肢としては、まず封筒及び内容物の印刷から封入封緘までを連続的に自動処理する一貫処理方式の封書作成装置がある。また、封筒及び内容物の印刷は別途行い、印刷後の封筒及び内容物をそれぞれセットして封入封緘を行なう装置も知られており、下記特許文献１に記載されている自動封入封緘装置はその一例である。特許文献１の自動封入封緘装置は、封筒供給部と、封筒供給部が一枚出しした封筒の開口を開封する開封部と、同封物をローラ繰り出し手段によって挿入ライン上に繰り出す同封物供給部と、挿入ライン上の同封物を開封された封筒内に挿入する挿入部と、同封物が挿入された封筒のフラップを封緘する封緘部と、封緘された封書を取り出す取り出し部とを備えており、装置に積載した封筒に内容物を挿入して封書を自動作成することができる。
【先行技術文献】
【特許文献】
【０００３】
【特許文献１】特開平３−１５１３００公報
【発明の概要】
【発明が解決しようとする課題】
【０００４】
前述したような一貫処理方式の封書作成装置や、特許文献１記載のような印刷済みの封筒・内容物を用いる自動封入封緘装置では、装置稼働中にジャムが発生して装置が停止した場合、その復旧・再開時に問題が発生することがあった。
【０００５】
印刷から封入封緘までを連続的に一貫処理する封書作成装置では、正常稼働時に誤封入が発生する可能性は低いが、ジャム発生時のように、復旧乃至リカバリ処理において人手が介入する場合に誤封入が発生することが多い。仮に、利用者のリカバリ手順を厳密に規定してあった場合でも、その手順が複雑では正確に実行され得ず、結局誤封入の発生を避けることができない。
【０００６】
また特許文献１のような自動封入封緘装置では、例えばＤＭを作成中にジャムが発生した場合には、装置内に滞留している用紙等を取り除いた後、ジャム発生で中断した封書の内容物を最初の頁から再印刷する再開手法が従来より採用されている。しかしながら、封入する用紙の印刷内容が宛先毎に異なる１ｔｏ１ダイレクトメールを作成するような場合において、予め宛先等を印刷した封筒を装置にセットして封入封緘を行なう利用形態では、ジャム後の再開処理において封筒の宛先と内容物の組み合わせが一致しない誤封入が発生する可能性がある。
【０００７】
本発明は、以上説明したような課題に鑑みてなされたものであり、封筒と内容物の用紙に印刷を施し、封筒に内容物を封入封緘する作業を自動的に行なう封書作成装置において、特に工程中にジャムが発生した後に工程を再開した場合においても、必要な封書の作成に漏れがなく、また封筒の宛先と内容物が正確に対応しており誤封入が発生しにくいリカバリ処理を行なうことができるため、特に１ｔｏ１ダイレクトメールの作成等に適した封書作成装置を提供することを目的としている。
【課題を解決するための手段】
【０００８】
請求項１に記載された封書作成装置は、
作成すべき封書ごとに封筒及び内容物をそれぞれ印刷する印刷部と、前記印刷部で印刷された前記封筒を搬送する第１の搬送経路と、前記印刷部で印刷された前記内容物を搬送する第２の搬送経路と、前記第１の経路と前記第２の経路が合流する位置に配置され、前記封筒に前記内容物を封入した後に封緘する封入封緘部とを有する封書作成装置において、
ジャムの発生により封書の作成が中断した後に、装置中に滞留している内容物及び封筒が全て取り除かれたことを条件として、作成が中断した封書の封筒が装置に供給されていたか否かに応じて印刷の制御を行い、
作成が中断した封書の封筒が装置に供給されていた場合には、作成が中断した封書の内容物を始めから作成して封入封緘することなく排出し、
作成が中断した封書の封筒が装置に供給されていない場合には、作成が中断した封書の作成を始めから再開するように制御する制御手段を有することを特徴としている。
【０００９】
請求項２に記載された封書作成装置は、
作成すべき封書ごとに封筒及び内容物をそれぞれ印刷する印刷部と、前記印刷部で印刷された前記封筒を搬送する第１の搬送経路と、前記印刷部で印刷された前記内容物を搬送する第２の搬送経路と、前記第１の経路と前記第２の経路が合流する位置に配置され、前記封筒に前記内容物を封入した後に封緘する封入封緘部とを有する封書作成装置において、
ジャムの発生により封書の作成が中断した後に、装置中に滞留している内容物及び封筒が全て取り除かれたことを条件として、作成が中断した封書の封筒が装置に供給されていたか否か及びユーザが選択した印刷モードに応じて印刷の制御を行なう制御手段を有することを特徴としている。
【００１０】
請求項３に記載された封書作成装置は、請求項２記載の封書作成装置において、
前記印刷モードが機密優先モードであり、
作成が中断した封書の封筒が装置に供給されていた場合には、作成が中断した封書の内容物の残り頁を作成してそのまま排出し、
作成が中断した封書の封筒が供給されていない場合には、作成が中断した封書の内容物の残り頁及び封筒を作成してそのまま排出するように、前記制御手段が制御を行うことを特徴としている。
【００１１】
請求項４に記載された封書作成装置は、請求項２記載の封書作成装置において、
前記印刷モードが誤封入防止優先モードであり、
作成が中断した封書の封筒が装置に供給されていた場合には、中断した封書の内容物を１枚目から作成してそのまま排出し、
作成が中断した封書の封筒が供給されていない場合には、作成が中断した封書の作成を始めから再開するように、前記制御手段が制御することを特徴としている。
【００１２】
請求項５に記載された封書作成装置は、請求項２記載の封書作成装置において、
前記印刷モードが速度優先モードであり、
作成が中断した封書の封筒が装置に供給されていたか否かに関わらず、作成が中断した封書の作成を始めから再開するように、前記制御手段が制御することを特徴としている。
【００１３】
なお、本発明では、封筒は、既成の封筒でもよいし、既成の用紙を折って作成してもよい。また内容物となる用紙は必ずしも折って封筒に封入する必要はなく、印刷された用紙の外形のままで封筒に封入してもよい。さらに、本発明が適用される封書の種類には、特定の宛先の封筒と、その内容物とが一対一で対応している所謂１ｔｏ１ダイレクトメールはもちろん、これ以外の封書も含まれる。
【発明の効果】
【００１４】
本発明の封書作成装置によれば、封筒と内容物に印刷を施す共通の印刷部が、作成すべき封書ごとに封筒と内容物を交互に印刷して排出する。そして、印刷された封筒を専用の第１の搬送経路で搬送し、印刷された内容物を専用の第２の搬送経路で搬送し、両搬送経路が合流する位置に設けられた封入封緘部によって、封筒と内容物をミスなく組み合わせて封入封緘し、封書を作成することができる。従って、内容物が封筒毎に異なる１ｔｏ１ダイレクトメールの作成等に適しており、封筒及び内容物の印刷から封入封緘までを全自動でミスなく確実に実行することができるという効果が得られる。
【００１５】
特に請求項１に記載された封書作成装置によれば、上記本発明の効果において、装置の稼働中にジャムが発生して封書の作成が中断した場合には、装置中に滞留している用紙及び封筒を全て取り除いた後に、作成が中断した封書の封筒が装置に供給されたか否かの判断に応じて、最適な選択で封書作成作業を続行することができる。すなわち、作成が中断した封書の封筒が装置に供給されていた場合には、作成が中断した封書の内容物を始めから作成して封入封緘することなく排出するので、取り除いた封筒に手作業で封入封緘することができる。また、作成が中断した封書の封筒が装置に供給されていない場合には、作成が中断した封書の作成を始めから再開することができる。
【００１６】
請求項２に記載された封書作成装置によれば、上記本発明の効果において、ジャムの発生により封書の作成が中断した場合に、装置中に滞留している用紙及び封筒を全て取り除いた後に、作成が中断した封書の封筒が装置に供給されていたか否かの判断とユーザが選択した印刷モードに応じて、印刷の制御を行なうことができるので、中断した作業の再開に当ってユーザが重視している事項を優先した最適な選択で封書作成作業を続行することができる。
【００１７】
請求項３に記載された封書作成装置によれば、印刷モードを機密優先モードに設定しているので、ジャム発生時、作成が中断した封書の封筒が装置に供給されていた場合には、中断した封書の内容物の残り頁を作成してそのまま排出する。従って、ユーザは、排出された内容物の残り頁と取り除かれた内容物を、取り除かれた封筒に手作業で封入して封緘することができる。また、作成が中断した封書の封筒が供給されていない場合には、作成が中断した封書の内容物の残り頁及び封筒を作成してそのまま排出する。従って、ユーザは、排出された内容物の残り頁と取り除かれた内容物を、取り除かれた封筒に手作業で封入して封緘することができる。このように、封書の作成が中断した場合であっても、装置から取り除かれた内容物や封書等を廃棄せずに利用するため、破棄する用紙が少なくて済み、環境に優しい。また内容物や封筒等の印刷内容から個人情報等の機密が漏れる可能性が少なくなるため、セキュリティの性能にも優れている。
【００１８】
請求項４に記載された封書作成装置によれば、印刷モードを誤封入防止優先モードに設定しているので、ジャム発生時、作成が中断した封書が装置に供給されていた場合には、中断した封書の内容物を１枚目から再度作成してそのまま排出する。従って、ユーザは、この内容物を取り除かれた封筒に手作業で封入封緘することができる。また、作成が中断した封書の封筒が供給されていない場合には、中断した封書の作成を始めから再開する。従って、特に１ｔｏ１ダイレクトメールの作成中にジャムが発生した場合には、封筒が印刷されている場合に、ユーザが封入封緘作業を行なうことで機密性を維持することができる。さらに、上述した機密優先モードのように、排出された内容物の残り頁と取り除かれた内容物を合わせて、取り除かれた封筒に手作業で封入封緘するといった煩雑な作業をユーザに行なわせることがないので、機密優先モードに比べて誤封入防止の効果が高く、封筒の宛先と内容物のより正確な対応が期待できる。
【００１９】
請求項５に記載された封書作成装置によれば、印刷モードを速度優先モードに設定しているので、ジャム発生時、作成が中断した封書の封筒が装置に供給されていたか否かに関わらず、中断した封書の作成を始めから再開する。従って、特に１ｔｏ１ダイレクトメール以外の封書、例えば封筒と内容物に特定の対応関係がないような封書の作成中にジャムが発生した場合において、ジャム用紙・封筒を破棄してユーザに封緘作業をさせることなく作業を再開するので、速やかなリカバリ処理によってジャム後に長い時間を浪費することなくスピード重視で封書作成作業を再開することができる。
【図面の簡単な説明】
【００２０】
【図１】第１実施形態に係る封書作成装置の構造と、同装置における封筒の流れを矢印で示した模式的断面図である。
【図２】第１実施形態に係る封書作成装置の構造と、同装置における内容物の流れを矢印で示した模式的断面図である。
【図３】第１実施形態に係る封書作成装置の構造と、同装置における封緘作業と封緘後の封筒の排出工程を示した模式的断面図である。
【図４】第１実施形態の封書作成装置における封書作成手順を示す流れ図である。
【図５】第１実施形態の封書作成装置における封書作成手順において、１ｔｏ１モードのエラーリカバリ制御を示す流れ図である。
【図６】第１実施形態の封書作成装置における封書作成手順において、速度優先モードのエラーリカバリ制御を示す流れ図である。
【図７】第１実施形態の封書作成装置における封書作成手順において、機密モードのエラーリカバリ制御を示す流れ図である。
【図８】第２実施形態に係る封書作成装置の構造と、同装置における封筒作製の流れを矢印で示した模式的断面図である。
【図９】第２実施形態に係る封書作成装置の構造と、同装置における内容物の流れを矢印で示した模式的断面図である。
【図１０】第２実施形態に係る封書作成装置の構造と、同装置における封入封緘作業と封緘後の封筒の排出工程を示した模式的断面図である。
【発明を実施するための形態】
【００２１】
以下に説明する実施形態は、作製すべき封書ごとに、既成の封筒又は折りによって封筒となる用紙と、内容物となる用紙を、時間的な効率が良い順序で連続的に印刷し、それぞれ異なる搬送経路で搬送しながら必要な折りを加えた後、合流させて封筒に内容物を封入し、最終的に封筒のフラップを閉じて封緘された封書として排出する封書作製装置を機構上の前提としている。
【００２２】
そして、本実施形態は、このような封書作成装置において、ジャムが発生して装置が停止した後、装置内部から用紙等を取り除いて装置を再始動させる際に、必要な封書の作成に漏れがなく、また封筒の宛先と内容物が正確に対応するため誤封入が発生しにくいエラーリカバリ制御を行なうことを特徴としている。
【００２３】
以下に説明する実施形態では、第１実施形態として既成の封筒を使用する場合を示し、第２実施形態として用紙を折って封筒を作製し、これを使用する場合を示す。
【００２４】
１．第１実施形態（図１〜図６）
（１）本封書作成装置の機構及び封書作成動作について（図１〜図３）
第１実施形態の封書作成装置の機構と封書作成動作について図１〜図３を参照して説明する。
第１実施形態の封書作製装置１は、作製すべき封書ごとに、すでに袋状に成形されている封筒（例えば既製品の封筒等）と、内容物となる０枚以上の用紙とに、共通の印刷部２により適当な順序で必要な印刷を施し、それぞれ別系統の搬送経路で搬送しながら、内容物が存在する場合には当該搬送経路で必要な折りを施し、最終的に両者を封入封緘手段で合流させ、内容物を封筒に封入・封緘して装置の上部に揃えて排出する。
【００２５】
この封書作製装置１は、封筒及び内容物となる用紙を印刷して排出する印刷部２を備えている。この印刷部２は、装置の各部を収納する筐体４の内部又は側面等に、複数種類の被印刷体（枚葉状の用紙や封筒）を収納可能な複数の給紙台Ｐ（Ｐ１〜Ｐ４）を備えている。本例では、筐体の側面に取り付けられた給紙台Ｐ１に封筒が収納され、筐体の内部に設けられた給紙台Ｐ２〜Ｐ４に内容物となる枚葉状の用紙が収納されている。
【００２６】
これら給紙台Ｐから出た用紙等は、導入路からループ状の搬送路５に送り込まれて搬送され、搬送路の下半部に沿って下向きに所定間隔で配置された印刷手段によって画像が形成される。本例では、印刷手段として、シアン、ブラック、マゼンタ、イエローの各色のインクをそれぞれ吐出する４つのインクジェット装置Ｃ、Ｋ、Ｍ、Ｙが配置されている。
【００２７】
このループ状の搬送路５には、印刷手段の下流の隣部に、ほぼ水平な方向で用紙をループ外に排出する第１の排出路６が分岐して設けられている。また、ループ状の搬送路５の上半部には、用紙をループ外に排出する第２の排出路７が分岐して設けられている。さらに、第２の排出路７と給紙台Ｐからの導入路との間にはスイッチバック路８が分岐して設けられている。このスイッチバック路８は、搬送路５を搬送されてきた用紙を受け入れた後に逆行させて搬送路５に戻すことにより、搬送路５中における用紙の上下を反転させる手段である。このスイッチバック路８を用い、用紙の上下面を逆転させて搬送路５を２回通過させれば、インクジェット装置Ｃ、Ｋ、Ｍ、Ｙで用紙の上下両面にカラー画像を形成するカラー両面印刷を行なうことができる。
【００２８】
印刷部２の隣部には、印刷部２の第１の排出路６から送られた封筒や用紙を受け入れて処理し、当該封筒に当該用紙を封入して封緘するための封入封緘部３が設けられている。
【００２９】
封入封緘部３の筐体９の内部には、印刷部２で印刷された封筒を搬送する第１の搬送経路１０が設けられている。この第１の搬送経路１０は、印刷部２の第１の排出路６から水平方向に送られてきた封筒を搬送方向に沿って斜め上方に送る一方の経路１１と、この経路１１と略平行な斜め姿勢で筐体９の上面に設けられ、経路１１から送られた封筒を一時的に貯留する封筒ストッカ１２と、封筒ストッカ１２から封筒を筐体９内に取り込み、斜め下方に送る他方の経路１３とを有している。
なお、この他方の経路１３の終端には、封筒反転手段５０と、封入封緘手段としての封筒開封封入手段６０及び封緘手段７０が設けられているが、これらの構成及び作用は後述する。
【００３０】
封入封緘部３の筐体９の内部には、印刷部２で印刷された用紙を搬送する第２の搬送経路２０が設けられている。この第２の搬送経路２０は、第１の搬送経路１０よりも下方にあり、印刷部２の第１の排出路６から水平方向に送られた用紙を斜め下方に送る一方の経路２１を有している。
【００３１】
この経路２１の中途には、用紙搬送ローラ２２と、開閉自在なゲートである整合部２３が設けられており、搬送した用紙を、経路２１を閉止した整合部２３に留めることにより、用紙を経路２１内で重ねて貯留することができるようになっている。また、この経路２１の終端には、用紙を折り畳むための折り手段が設けられている。この折り手段には、回動自在な中央の主折りローラＡが設けられ、さらに、第１折りローラＢ、第２折りローラＣ及び１つの用紙搬送ローラＤが主折りローラＡにそれぞれ回動自在に接触して設けられている。さらに、図示はしないが、主折りローラＡと搬送ローラＤによる搬送方向の先方位置には、搬送された用紙の先端が突き当たる突き当て部材が設けられており、突き当たった用紙を撓ませて主折りローラＡと折りローラＢの間に用紙の撓み部を導いて用紙を折ることができるようになっている。また、同様に主折りローラＡと折りローラＢによる搬送方向の先方位置にも突き当て部材があり、突き当たった用紙を撓ませて主折りローラＡと折りローラＣの間に用紙の撓み部を導いて用紙を折ることができるようになっている。従って、これら折り手段によれば、用紙を２回以上の折ることができる。
【００３２】
封入封緘部３の筐体９の内部において、前記第２の搬送経路２０は、折り手段で折られた用紙３０を前記経路２１と略直交する斜め上方に連続して搬送する他方の経路２６を有している。この他方の経路２６は、封筒を斜め下方に送る前述した第１の搬送経路１０の他方の経路１３よりも下方の位置にあり、封筒反転手段５０と、封入封緘手段の一部を構成する封筒開封封入手段６０において第１の搬送経路１０の経路１３と合流している。
【００３３】
封筒反転手段５０は、用紙搬送ローラａと、これを中心に配置された用紙搬送ローラｂ及びｇと、下方及び斜め上方に延設された２つの経路２７，２８とによって構成されている。第１の搬送経路１０の他方の経路１３から送られた封筒４０は、フラップＦが下方かつ左側となる姿勢で用紙搬送ローラａ及びｇの間に入り、挟持搬送されて下方の経路２７に送られる。さらに、この封筒４０は、用紙搬送ローラａ及びｂに挟持されて斜め上方の経路２８に送られ、フラップＦが上側かつ左側となる姿勢で後述する封筒開封封入手段６０に送り込まれる。
【００３４】
封筒開封封入手段６０は、前述した用紙搬送ローラａ，ｂと、これらの用紙搬送ローラａ，ｂから斜め上方に延設された経路２８と、水平な経路２９と、水平な経路２９に沿って封筒及び用紙３０を正逆両方向に搬送する用紙搬送ローラｃと、用紙３０が封入された封筒を搬出する用紙搬送ローラｄと、封筒のフラップを開く往復揺動可能な開封爪４１とを有している。
【００３５】
図１に示すように、封筒反転手段５０で姿勢を反転された封筒４０は、用紙搬送ローラａ、ｂによって搬入され、さらに正転する用紙搬送ローラｃによって水平な経路２９に沿って封筒開封封入手段６０に送り込まれる。そして開封爪４１が開封位置に移動して封筒４０のフラップを開く。そして図２に示すように、第２の搬送経路２０に沿って搬送されてきた折り畳まれた１枚又は複数枚の用紙３０が、用紙搬送ローラａ乃至ｃによって封筒４０内に送り込まれ、封入が完了する。図３に示すように、開封爪４１は待機位置戻り、逆転する用紙搬送ローラｃと用紙搬送ローラｄの回転により封筒４０を移動して後段に送り出す。
【００３６】
図３に示すように、用紙搬送ローラｄから送り出された封筒４０等は、斜め上前方に向けて傾斜して配置された経路４２を通って封緘手段７０に送り込まれる。この経路４２は第１の搬送経路１０の斜め下方に向けられた他方の経路１３の上方にあり、これと略平行に配置されている。この経路４２の上方には、封緘手段７０を構成する一対の用紙搬送ローラｅ及びｆが設けられている。
【００３７】
経路４２に沿って送られた封筒４０は、経路４２の終端に突き当たり、フラップの折り目４３が折れて用紙搬送ローラｅ及びｆの間に入る。これと同時に用紙搬送ローラｅ及びｆを駆動すれば、封筒４０はフラップが閉じられた状態になって筐体９の上面側に送り出される。
【００３８】
筐体９の上面には、前述した封筒ストッカ１２の後方に、封筒ストッカ１２と略平行に排出ストッカ４４が設置されており、用紙３０が封入封緘された封筒４０（すなわち完成した封書４５）が順次送り出された場合、これらを受け入れることができるようになっている。これらの封書４５は、排出ストッカ４４上に整然と並んで重ねられた状態で順次斜め上方に移動していく。
【００３９】
図１に示すように、本実施形態の封書作製装置１は、以上説明した印刷部２及び封入封緘部３の各機構を制御するための制御手段１００を備えている。制御手段１００が印刷部２及び封入封緘部３を制御して行なう封筒作成の具体的な手順等については後述する。なお、図示の例では、制御手段１００は印刷部２内に配置されているが、封入封緘部３内に配置してもよいし、印刷部２及び封入封緘部３の外部に別体として配置してもよい。
【００４０】
次に、以上説明した本実施形態の封書作製装置１において、既成の封筒４０に宛て名等を印刷し、さらに複数枚の用紙３０に必要な印刷を施して折り畳み、用紙３０を封筒４０に封入封緘する全体の手順について通して説明する。この一連の作業は、ユーザが指定した作業条件等に従って制御手段１００が印刷部２及び封入封緘部３を統括して制御することにより実行される。
【００４１】
図１に示すように、印刷部２では、給紙台Ｐ１から封筒４０が送り出され、ループ状の搬送路５を１周する間にインクジェット装置Ｃ、Ｋ、Ｍ、Ｙで封筒４０の両面が印刷される。両面印刷でなく、片面印刷を選択することもできる。この封筒４０は封入封緘部３に入り、第１の搬送経路１０の一方の経路１１から一旦封筒スタッカ１２に入り、さらに他方の経路１３から封筒反転手段５０に入って姿勢を反転させ、封筒開封封入手段６０に送り込まれる。封筒４０は開封爪４１でフラップが開かれて開口が開いた状態で待機する。
【００４２】
図２に示すように、封筒４０に続き、定められた一定乃間隔を空けて用紙３０が給紙台Ｐ２乃至Ｐ４の何れかからループ状の搬送路５に送り込まれ、この搬送路を１周する間にインクジェット装置Ｃ、Ｋ、Ｍ、Ｙで用紙３０の両面が印刷される。両面印刷でなく、片面印刷を選択することもできる。用紙３０は必要枚数が溜まるまで第２の搬経経路２０の整合部２３に貯留され、必要枚数が揃ったところで整合部２３が開いて折り手段に送り込まれる。折り手段で所望の状態に折り畳まれた用紙３０は、封筒反転手段５０を通過して封筒開封封入手段６０に送り込まれる。すなわち、折り畳まれた複数枚の用紙３０が封筒４０内に封入される。
【００４３】
用紙３０が封入された封筒４０は封緘手段７０に送り出され、用紙搬送ローラｅ及びｆを通過することでフラップＦが閉じられ、完成した封書４５として排出ストッカ４４に排出される。
【００４４】
本実施形態の封書作成装置によれば、封筒４０及び内容物の用紙３０に印刷を施す共通の印刷部２が、作成すべき封書４５ごとに封筒４０と用紙３０を交互に印刷して排出し、印刷された封筒４０を専用の第１の搬送経路１０で搬送し、印刷された用紙３０を専用の第２の搬送経路２０で搬送し、両搬送経路１０，２０の終端が交差する位置に設けた封筒開封封入手段６０で用紙３０を封筒４０に封入するので、内容物と封筒４０の組み合わせ違いが生じにくい。従って、内容物が封筒毎に異なる１ｔｏ１ダイレクトメールの作成等に適しており、特に既成の封筒を用いた封書の作成において、封筒及び内容物の印刷から封入封緘までを全自動でミスなく確実に実行することができる。
【００４５】
また、この実施形態では、封筒４０を印刷部２の給紙台Ｐ１にセットして印刷後に封入封緘部３に送り込んだが、既に印刷済みの封筒４０であれば、所定の順序で重ね、封筒ストッカ１２に設置して供給するようにしてもよい。また、封筒４０を印刷部２の給紙台Ｐ１にセットして印刷後に封入封緘部３に送り込む場合において、実施形態では一旦封筒４０を封筒ストッカ１２に排出してから、再度第１の搬送経路１０の経路１３に戻すようにしていたが、この場合には最初の経路１１を介さずに印刷部２から他方の経路１３に直接封筒４０を送り込む構成としてもよい。
【００４６】
また、この実施形態の封入封緘部３では、封筒４０を搬送する第１の搬送経路１０が、筐体９内の中央上部で斜め下方に向けて配置された経路１３を有しており、その下方において、用紙３０を搬送する第２の搬送経路２０が、第１の搬送経路１０に略平行となるように斜め下方に向いた経路２１と、これと略直交して斜め上方に向いた経路２６とで構成されており、両搬送経路１０，２０の終端が封筒反転手段５０及び封筒開封封入手段６０で合流している。そして、さらに封筒開封封入手段６０から封緘部７０に至る経路４２は第１の搬送経路１０の上方で、これと略平行となるように斜め上方に向けて配置されている。このように、多くの搬送経路が筺体９内の空間を有効に利用して最小限の隙間で効率的に構築されており、封筒４０と用紙３０を別系統として封入間違いを起きにくくした精妙な構造であるにも関わらず、全体として非常にコンパクトな構成となっている。また、以上のような搬送経路の構成の帰結として、作成された封書４５は、取り出しやすい筺体９の上面に斜めに設けられた排出ストッカ４４に整列して押し出されてくるので、まとめて取り出す際の取り扱いが便利である。
【００４７】
（２）本封書作成装置における封書作成制御とエラーリカバリ制御について（図４〜図６）
本封書作成装置では、ジャムが発生して装置が停止した後、装置内部に滞留している用紙等を取り除いて装置を再始動させる際に、再開に際して優先すべき条件に応じたエラーリカバリ制御を行なうことができる。本実施形態では優先すべき条件は３つあり、これらに対応した複数のエラーリカバリ制御モードの中から必要なモードを予め選択・設定することができる。
【００４８】
上記エラーリカバリ制御モードとしては、１ｔｏ１ダイレクトメールの作成において再始動時に誤封入が発生しにくい「誤封入防止優先」モードと、直ちに封書作成を再開できる「速度優先」モードと、中断時に装置から取り除いた封筒や内容物から機密が洩れるのを防止する「機密優先」モードがある。
【００４９】
なお、操作者に対するモード選択等の各種要求及びこれに対応して操作者が行う選択・設定操作等は、本装置が有する図示しない操作パネルの表示及びスイッチ等を用いて行なうことができる。また、封書作成制御と各エラーリカバリ制御は本装置１の制御手段１００によって行なわれるが、その内容は以下の説明及び参照する流れ図に示す通りである。
【００５０】
図４は、本封書作成装置の制御手段１００における封書作成手順の基本的な制御手順を示す流れ図である。装置の電源をＯＮにすると（Ｓ１）、「誤封入防止優先」モードと、「速度優先」モードと、「機密優先」モードの何れかを選択するように要求される（Ｓ２）。所望のモードを選択した後、封書作成をスタートすると（Ｓ３、ＹＥＳ）、先に図１〜図３を参照して説明したような封書作成動作が行なわれるが、その封書作成動作の途中でジャムが発生しなければ（Ｓ４、ＮＯ）、指定した封書作成枚数が完了するまで作成動作が継続し（Ｓ５、ＮＯ）、指定した封書作成枚数が完了したところで（Ｓ５、ＹＥＳ）、封書作成工程が完了する（Ｓ６）。
【００５１】
封書作成動作の途中でジャムが発生した場合には（Ｓ４、ＹＥＳ）、用紙の印刷、折り等の加工処理を中断し（Ｓ７）、筐体のカバーを開いて装置内に滞留しているすべての用紙及び封筒を取り除くように表示パネルにより利用者に要求する（Ｓ８）。滞留用紙等が全て装置内から取り除かれた場合には（Ｓ９、ＹＥＳ）、Ｓ２において選択・設定したモードに対応するエラーリカバリ制御が行なわれる（Ｓ１０）。「誤封入防止優先」モードが設定されている場合には、図５に示す（Ａ）のルーティンに移行し、「速度優先」モードが設定されている場合には、図６に示す（Ｂ）のルーティンに移行し、「機密優先」モードが設定されている場合には、図７に示す（Ｃ）のルーティンに移行する。
【００５２】
図５に示すように、「誤封入防止優先」モードが設定されている場合には、ジャム発生時、作成が中断した封書の封筒が装置に供給されていたか否かが判断される（Ｓ１１）。供給されていた場合には（Ｓ１１、ＹＥＳ）、中断した宛先の封書の内容物を１頁目から再度印刷し、必要な折りを加えて作成し、再処理トレーに排出する（Ｓ１２）。再処理トレーは図１中に示す排出ストッカ４４で代替できるが、用紙搬送ローラａ，ｂ等で封筒開封封入手段６０に搬入された用紙をそのまま筺体９の外に排出し、筺体の外側に設けた再処理トレーに排出できるようにしてもよい。再処理トレーに排出された内容物の用紙は、ジャム解除時に装置内から取り除かれた封筒に手作業で封入封緘する。以降の封書の作成は自動的な封入封緘工程で行う（Ｓ１３）。
【００５３】
またジャム発生時、作成が中断した封書の封筒が供給されていない場合には（Ｓ１１、ＮＯ）、中断した宛先の封書の作成動作を始めから行なう（Ｓ１４）。すなわち、中断した宛先の封書の内容物を１頁目から再度印刷し、必要な折りを加え、封筒も供給して印刷、搬送し、封入封緘して排出ストッカ４４に排出する（Ｓ１４）。
【００５４】
この「誤封入防止優先」モードによれば、１ｔｏ１ダイレクトメールの作成中にジャムが発生した場合においても、封筒の宛先と内容物が正確に対応しており誤封入のないリカバリ処理を行なうことができる。
【００５５】
図６に示すように、「速度優先」モードが設定されている場合には、ジャム発生時、作成が中断した封書の封筒が装置に供給されていたか否かに関わらず、中断した封書の作成を自動的な封入封緘工程で行う。すなわち、中断した宛先の封書の内容物を１頁目から再度印刷し、必要な折りを加え、封筒も供給して印刷、搬送し、封入封緘して排出ストッカ４４に排出する（Ｓ２１）。
【００５６】
この「速度優先」モードによれば、１ｔｏ１ダイレクトメール以外の封書、例えば封筒と内容物に特定の対応関係がないような封書の作成中にジャムが発生した場合において、速やかなリカバリ処理によってジャム後に長い時間を要することなく封書作成作業を再開することができる。
【００５７】
図７に示すように、「機密優先」モードが設定されている場合には、ジャム発生時、作成が中断した封書の封筒が装置に供給されていたか否かが判断される（Ｓ３１）。供給されていた場合には（Ｓ３１、ＹＥＳ）、中断した宛先の封書の内容物の残り頁から印刷を再開し、必要な折りを加え、再処理トレーに排出する（Ｓ３２）。再処理トレーに排出された内容物の用紙は、ジャム解除時に装置内から取り除いた内容物の用紙とともに、ジャム解除時に装置内から取り除いた封筒に手作業で封入封緘する。
【００５８】
供給されていない場合には（Ｓ３１、ＮＯ）、中断した宛先の封書の内容物の残り頁から印刷を再開し、必要な折りを加え、再処理トレーに排出する（Ｓ３４）。次に、給紙台Ｐ１または封筒ストッカ１２から封筒１部を装置内に供給して必要な印刷を行い、再処理トレーに排出する（Ｓ３５）。再処理トレーに排出された内容物の用紙は、ジャム解除時に装置内から取り除いた内容物の用紙とともに、再処理トレーに排出された封筒に手作業で封入封緘する。以降の封書の作成は自動的な封入封緘工程で行う（Ｓ３３）。
【００５９】
この「機密優先」モードによれば、封書の作成が中断した場合であっても、装置から取り除いた内容物や封筒を廃棄せずに利用するので、内容物や封筒の印刷内容から個人情報等の機密が漏れることが確実に防止される。また用紙等の無駄を極力無くすことができるので経済的である。
【００６０】
以上説明したように、本実施形態の封書作成装置では、３つのエラーリカバリ制御モードから目的に応じて最適又は必要なモードを選択できる。各モードの特徴は上述した通りであるが、作成すべき封書の種類に応じて選択すれば、次のようになる。封書としては、内容物が宛先によって異なる１ｔｏ１ダイレクトメールと、１ｔｏ１ダイレクトメール以外の封書が想定できる。１ｔｏ１ダイレクトメール以外の封書としては、宛て名を印刷しない窓付き封筒と、宛て名も内容も印刷した内容物との組み合わせ、また宛て名を印刷した封筒と、すべての封筒について同一の内容物との組み合わせ、さらに宛て名を印刷しない窓付き封筒と、すべての封筒について同一の内容物との組み合わせ等が想定できる。
【００６１】
１ｔｏ１ダイレクトメールについては、図５に示した「誤封入防止優先」モードと、図７に示した「機密優先」モードが適している。１ｔｏ１ダイレクトメール以外の封書については、図６に示した「速度優先」モードと、図７に示した「機密優先」モードが適している。
【００６２】
２．第２実施形態（図８〜図１０）
（１）本封書作成装置の機構及び封書作成動作について（図８〜図１０）
図８〜図１０に示す第２実施形態の封書作製装置１’は、作製すべき封書ごとに処理を行なう。すなわち、折り畳んで封筒４０となる用紙３０と、内容物となる用紙３０に対し、共通の印刷部２を用いて適当な順序で必要な印刷を施す。そして、それぞれ別系統の搬送経路で搬送しながら、封筒４０となるべき用紙３０については、封筒４０の形態となるように用紙３０を折るとともに、内容物に必要な折りを施す。そして、最終的に両者を封入封緘手段で合流させ、内容物を封筒４０に封入・封緘して装置の上部に完成した封書として揃えて排出する。
【００６３】
本実施形態では、印刷部２と、封入封緘部３’に設けられて内容物としての用紙３０を搬送する第２の搬送経路２０と、内容物の用紙３０を折り畳む折り手段（折りローラＡ〜Ｃ及び用紙搬送ローラＤ等）の構成は、第１実施形態におけるものと同一である。そこで、第１実施形態と同一乃至同等の構成部分については、図中に第１実施形態と同一の符号を付すとともに、第１実施形態の記載を援用して説明の繰返しを可及的に避け、必要な説明においては第１実施形態と同一の符号を用いるものとする。以下、封筒４０となる用紙３０を搬送する第１の搬送経路１０’と、封筒４０となる用紙３０の折り手段と、さらに封筒４０となる用紙３０に内容物の用紙３０を整合させて封書を作成する封入封緘手段の構成と、全体の作用について、図８乃至１０を参照して説明する。
【００６４】
封書作製装置１’では、印刷部２の第１の排出路６が水平に延設されて、隣にある封入封緘部３’の筐体９内に導入されている。筐体９内では、この排出路６から、第２の搬送経路２０が斜め下方に分岐しており、そのさらに下流は第１の搬送経路１０’の一方の経路１１’となって斜め下方に延設されている。この第１の搬送経路１０’の一方の経路１１’は、第２の搬送経路２０の一方の経路２１と略平行に配置されている。第１の搬送経路１０’の一方の経路１１’は封筒４０となる用紙３０を折り手段に搬送する案内路であり、前述したように、第２の搬送経路２０の一方の経路２１は内容物の用紙３０を折り手段に搬送する案内路であり、第１及び第２の搬送経路１０’，２０の切り替えは、第２の搬送経路２０の分岐点に設けられた図示しない切り替えフラップで行なう。
【００６５】
第１の搬送経路１０’の一方の経路１１’の終端には、用紙３０を折って封筒４０の形態を作製するための折り手段が設けられている。この折り手段には、回動自在の主折りローラＡ’と、これに接して回動する用紙搬送ローラＤ’及び第１折りローラＢ’が設けられている。
【００６６】
第１の搬送経路１０’の折り手段の主折りローラＡ’と第１折りローラＢ’の間からは、第１の搬送経路１０’の他方の経路１３’が、上方に凸の形状に湾曲して水平方向に延設されており、その終端には封入封緘手段の一部を構成する封入手段が設けられている。
【００６７】
封入手段には、回動自在の主折りローラＡ”と、これに接して回動する用紙搬送ローラＤ”及び第１及び第２折りローラＢ”，Ｃ”が設けられている。また、主折りローラＡ”の下方には、主折りローラＡ”と用紙搬送ローラＤ”から出た用紙３０を下方に導く待機経路４６が設けられている。
【００６８】
封筒４０となる用紙３０は、必要に応じて前記折り手段において、封入前段の折りが実行され、内容物を受け入れるために封入手段である主折りローラＡ”等に送られる。この一部が折られただけの未完成の封筒は、内容物の用紙３０との整合及びその後の折りによる成形を受けるために待機経路４６で待機する。
【００６９】
また、前記第２の搬送経路２０の他方の経路２６の終端が、前記封入手段の主折りローラＡ”と第１折りローラＢ”の間に接続されている。第２の搬送経路２０において、折り手段（主折りローラＡ等）で適宜に折り畳まれた内容物の用紙３０は、他方の経路２６を経て封入手段の主折りローラＡ”等に送られ、待機経路４６で待機している未完成の封筒４０’に整合される。未完成の封筒４０’と内容物の用紙３０は、主折りローラＡ”と第１及び第２ローラＢ”，Ｃ”による折り成形によって、封筒４０内に用紙３０が封入された状態に成形される。
【００７０】
封入手段の主折りローラＡ”と第２折りローラＣ”の間から、斜め上前方に向けて傾斜して経路４７が配置されている。この経路４７は、第１の搬送経路１０’の一方の経路１１’や、第２の搬送経路２０の一方の経路２１と略平行となっている。この経路４７の中途には、封入封緘手段の一部を構成する封緘手段としての封緘ローラ８０が設けられている。この封緘ローラ８０は、封入手段で内容物が封入された封筒４０の周囲を貼り合わせ、封筒４０の封緘を行なう。
【００７１】
封緘ローラ８０で封緘された封筒４０は、筐体９の上面に設けられた排出トレイ４８に排出され、順次積み上げられて取り出しを待つ。
【００７２】
次に、以上説明した本実施形態の封書作製装置１’において、封筒４０となる用紙３０に宛て名等を印刷し、さらに複数枚の用紙３０に必要な印刷を施して折り畳み、用紙３０を折り畳んで成形した封筒４０に用紙３０を封入封緘する全体の手順について通して説明する。
【００７３】
図８に示すように、印刷部２では、折りによって封筒４０を成形するための用紙３０が、給紙台Ｐ１から送り出される。本実施形態では、封筒４０の用紙３０は印刷部２の給紙台Ｐ１からＰ４のいずれにあっても良い。この用紙３０は、ループ状の搬送路５を１周する間にインクジェット装置Ｃ、Ｋ、Ｍ、Ｙで両面に印刷される。両面印刷でなく片面印刷を選択することもできる。一般に封筒４０の外面となる面には宛て名等が印刷され、封筒４０の内面となる面には、封入される内容物の印刷内容とともに、宛先に送られるべき何らかの情報が必要に応じて印刷される。封筒４０の内面に印刷された情報は、受取人が封筒４０を切り開くことによって読むことができる。
【００７４】
封筒４０となる用紙３０は、図示しない切り替えフラップの切り替えにより、第１の搬送経路１０’の一方の経路１１’から折り手段に送られる。用紙３０は、主折りローラＡ’と用紙搬送ローラＤ’によって先方に送られ、図示しない突き当て部材に突き当って撓み、撓んだ部分から主折りローラＡ’と第１折りローラＢ’の間に入り、さらに挟持搬送されて通紙方向先端部の一部に折り目がつけられる。図８中に装置外に引き出して装置と重ねないように図示したが、一部が折られた未完成の封筒４０’は、封入手段の主折りローラＡ”と用紙搬送ローラＤ”に搬送されて待機経路４６に送られ、下端の折り部を第２の搬送経路２０側に向けた姿勢で同位置において待機する。
【００７５】
図９に示すように、封筒４０となる用紙３０に続き、定められた一定の間隔を空けて内容物として必要な用紙３０が給紙台Ｐ２乃至Ｐ４の何れかからループ状の搬送路５に送り込まれ、この搬送路を１周する間にインクジェット装置Ｃ、Ｋ、Ｍ、Ｙで用紙３０の両面が印刷される。両面印刷でなく片面印刷を選択することもできる。内容物の用紙３０は、図示しない切り替えフラップの切り替えにより、第２の搬送経路２０の一方の経路２１に送られる。用紙３０は必要枚数が溜まるまで第２の搬経路２０の一方の経路２１にある整合部２３に貯留され、必要枚数が揃ったところで整合部２３が開いて折り手段（主折りローラＡ等）に送り込まれる。折り手段で行なわれる複数回の折りにより、所望の状態に折り畳まれた用紙３０は、第２の搬送経路２０の他方の経路２６を経て封入手段（主折りローラＡ”等）に送り込まれる。本実施形態では、用紙３０は内三つ折りとなっている。図９中に装置外に引き出して装置と重ねないように図示したが、内三つ折りの用紙３０は、未完成の封筒４０’の折り部の上方に当接した状態となる位置まで搬送される。なお、この実施形態では、先に未完成の封筒４０’を封入手段に送り、その後に内容物の用紙３０を折って封入手段に送ったが、逆の順序でもよい。
【００７６】
図１０に示すように、封入手段の主折りローラＡ”と第１及び第２折りローラＢ”，Ｃ”により、封筒４０となる用紙３０を外側にして内容物の用紙３０を内側に包み込むように折り曲げる操作を行い、封筒４０の内部に用紙３０を包み込んでいく。
【００７７】
図１０に示すように、内容物が封入された封筒４０の用紙３０は、筐体９の上面に向けて斜め上方に向けて傾斜した経路４７に入り、封緘ローラ８０を通過することによって周囲が貼り合わされ、封筒４０の封緘が行なわれる。なお、封筒４０となる用紙３０の貼り合わせ面に予め感圧接着剤を塗布しておくことにより、上述した封緘ローラ８０による加圧で封緘を行なうことができる。但し、従来公知のその他の手段や通常の接着剤を用いて封緘を行なうこととしてもよい。
【００７８】
そして、封入・封緘が完了して完成した封書は、筐体９の上面に設けられた排出トレイ４８に排出され、順次積み上げられて取り出しを待つ。
【００７９】
本実施形態の封書作成装置１’によれば、封筒４０となる用紙３０及び内容物の用紙３０に印刷を施す共通の印刷部２が、作成すべき封書ごとに封筒４０の用紙３０と内容物の用紙３０を交互に印刷して排出し、封筒４０の用紙３０を専用の第１の搬送経路１０’で搬送しながら折り曲げて成形し、内容物の用紙３０を専用の第２の搬送経路２０で搬送しながら折り曲げ、両搬送経路の終端が交差する位置に設けた封入手段において、用紙３０を封筒４０の用紙３０に包み込みながら折り曲げて封筒４０を完成する。従って、一般的な枚葉状の用紙３０を利用して封筒と内容物を同一工程で作製し、封入封緘までを全自動でミスなく確実に実行して封書を作製するので、作業が効率的で経済性に優れるとともに、内容物と封筒の組み合わせ違いが生じにくいために内容物が封筒毎に異なる１ｔｏ１ダイレクトメールの作成等に適している。また、一部を折っただけで封筒としては完成していない状態の用紙に内容物の用紙を整合させ、さらに両用紙を一体として折りを加えて封筒４０を完成していくので、完成した封筒の開口から内容物を挿入する場合に比べて挿入ミスが少ない。
【００８０】
また、この実施形態の封入封緘部３’では、封筒４０となる用紙３０を搬送する第１の搬送経路１０’の一方の経路１１’と、内容物の用紙３０を搬送する第２の搬送経路２０の一方の経路２１と、封入手段である主折りローラＡ”と封緘ローラ８０が設けられた経路４７とが、いずれも互いに略平行となるように斜めに配置されている。さらに第１の搬送経路１０’の他方の経路１３’の終端と、第２の搬送経路２０の他方の経路２６の終端とが、それぞれ封入手段である主折りローラＡ”に接続されている。そして、さらに封緘ローラ８０が設けられた最後の経路４７は筐体９の上面に到達している。このように、多くの搬送経路が筺体９内の空間を有効に利用して最小限の隙間で効率的に構築されており、封筒４０となる用紙３０及び内容物の用紙３０を別系統で搬送して封入間違いを起きにくくした精妙な構造であるにも関わらず、全体として非常にコンパクトな構成となっている。また、以上のような搬送経路の構成の帰結として、作成された封書は、取り出しやすい筺体９の上面に斜めに設けられた排出トレイ４８に整列して押し出されてくるので、まとめて取り出す際の取り扱いが便利である。
【００８１】
（２）本封書作成装置における封書作成制御とエラーリカバリ制御について
本封書作成装置においても、第１実施形態の装置と同様に、３つのエラーリカバリ制御モードの中から必要なモードを予め選択・設定し、ジャム後の再開に際して優先すべき条件を決めてエラーリカバリ制御を行なうことができる。
【００８２】
但し、本実施形態の封筒は枚葉紙を折って作成するので、ジャム時に装置内に滞留している封筒の用紙は封筒形状になっていない。そのため、これを装置から取り除いて使用する場合には、使用者が自ら必要な折りを加えて所定の形状にした後、接合部分の感圧接着剤に圧力を加え、封筒を作成する必要がある。
【００８３】
従って、封筒を枚葉紙からその都度製造する点に関して如何に説明するように必要な修正を加えれば、第１実施形態のエラーリカバリ制御の説明で使用した図４〜図７の制御手順は本実施形態においても概ね適用可能である。
【００８４】
図５に示すように、「誤封入防止優先」モードが設定されている場合には、ジャム発生時、作成が中断した封書の封筒が装置に供給されていたか否かが判断される（Ｓ１１）。供給されていた場合には（Ｓ１１、ＹＥＳ）、中断した宛先の封書の内容物を１頁目から再度印刷し、必要な折りを加えて作成し、再処理トレーに排出する（Ｓ１２）。ジャム解除時に装置内から取り除いた封筒の用紙は、組み立てて封筒の形態にしておく。再処理トレーに排出された内容物の用紙を、この封筒に手作業で封入封緘する。以降の封書の作成は自動的な封入封緘工程で行う（Ｓ１３）。なお、再処理トレーは図１中に示す排出ストッカ４４で代替できるが、用紙搬送ローラａ，ｂ等で封筒開封封入手段６０に搬入された用紙をそのまま筺体９の外に排出し、筺体の外側に設けた再処理トレーに排出できるようにしてもよい。
【００８５】
またジャム発生時、作成が中断した封書の封筒が供給されていない場合には（Ｓ１１、ＮＯ）、中断した宛先の封書の作成動作を始めから行なう（Ｓ１４）。すなわち、中断した宛先の封書の内容物を１頁目から再度印刷し、必要な折りを加え、封筒となる用紙を供給して印刷し、必要な折りを加え、封筒の用紙と内容物の用紙を整合させて封入封緘し、排出ストッカ４４に排出する（Ｓ１４）。
【００８６】
図６に示すように、「速度優先」モードが設定されている場合には、ジャム発生時、作成が中断した封書の封筒の用紙が装置に供給されていたか否かに関わらず、中断した封書の作成を自動的な封入封緘工程で行う。すなわち、中断した宛先の封書の内容物を１頁目から再度印刷し、必要な折りを加え、封筒となる用紙を供給して印刷し、必要な折りを加え、封筒の用紙と内容物の用紙を整合させて封入封緘し、排出ストッカ４４に排出する（Ｓ２１）。
【００８７】
図７に示すように、「機密優先」モードが設定されている場合には、ジャム発生時、作成が中断した封書の封筒が装置に供給されていたか否かが判断される（Ｓ３１）。供給されていた場合には（Ｓ３１、ＹＥＳ）、中断した宛先の封書の内容物の残り頁から印刷を再開し、必要な折りを加え、再処理トレーに排出する（Ｓ３２）。ジャム解除時に装置内から取り除かれた封筒の用紙は、組み立てて封筒の形態にしておく。再処理トレーに排出された内容物の用紙は、ジャム解除時に装置内から取り除かれた内容物の用紙とともに、組み立てた前記封筒に手作業で封入封緘する。
【００８８】
供給されていない場合には（Ｓ３１、ＮＯ）、中断した宛先の封書の内容物の残り頁から印刷を再開し、必要な折りを加え、再処理トレーに排出する（Ｓ３４）。次に、給紙台Ｐ１から封筒となる用紙３０を装置内に供給して必要な印刷を行い、必要な折りを行なって封筒の形態とし、封入封緘しないで再処理トレーに排出する（Ｓ３５）。再処理トレーに排出された内容物の用紙は、ジャム解除時に装置内から取り除かれた内容物の用紙とともに、再処理トレーに排出された封筒に手作業で封入封緘する。以降の封書の作成は自動的な封入封緘工程で行う（Ｓ３３）。
【００８９】
３．実施形態の変形例について
以上説明した各実施形態の封書作製装置１，１’は印刷部２を備えているが、この印刷部２は既設の画像形成装置であってもよい。すなわち、既に事業所等に設置してある通常の画像形成装置を本発明における印刷部２とし、これに封入封緘部３，３’を接続することによって本発明の封書作製装置１，１’とすることができる。このため、１台の既設の画像形成装置を利用して封筒と内容物の印刷を行なうことができ、自動的な封書作製装置の設置コストが少なくて済む。
【００９０】
また、画像形成装置としては、実施形態で説明したようなインクジェット装置を用いるものでもよいし、孔版原紙を巻装した印刷ドラムを回転させ、用紙をこれに密着させて印刷を行なう印刷装置であってもよい。また、その他の種類の画像形成手段でもよく、画像形成原理を問わない。
【００９１】
また、内容物の用紙は必ずしも折る必要はなく、封筒の大きさとの関係により、折らずに元のサイズのままで封筒に封入することとしてもよい。このような場合には、封書作製装置１，１’の封入封緘部３，３’には、内容物の用紙３０の折り部（折りローラ等）は必要ない。
【００９２】
また、各実施形態では、封筒及び内容物の用紙として枚葉状の用紙を使用したが、例えばロール状の用紙を使用し、使用の都度、必要な長さに切断して供給するようにしてもよい。
【符号の説明】
【００９３】
１，１’…封書作製装置
２…印刷部
３，３’…封入封緘部
１０，１０’…第１の搬送経路
１１，１１’…第１の搬送経路の一方の経路
１３，１３’…第１の搬送経路の他方の経路
２０…第２の搬送経路
２１…第２の搬送経路の一方の経路
２６…第２の搬送経路の他方の経路
３０…用紙
４０…封筒
４０’…未完成の封筒
５０…封筒反転手段
６０…封入封緘手段の一部である封筒開封封入手段
７０…封入封緘手段の一部である封緘手段
８０…封入封緘手段の一部である封緘手段としての封緘ローラ
１００…制御手段
Ａ，Ａ’…折り手段としての主折りローラ
Ｂ．Ｂ’…折り手段としての第１折りローラ
Ｃ…折り手段としての第２折りローラ
Ｄ，Ｄ’…折り手段としての用紙搬送ローラ
Ａ”…封入封緘手段の一部を構成する封入手段としての主折りローラ
Ｂ”…封入封緘手段の一部を構成する封入手段としての第１折りローラ
Ｃ”…封入封緘手段の一部を構成する封入手段としての第２折りローラ
Ｄ”…封入封緘手段の一部を構成する封入手段としての用紙搬送ローラ
ａ…封筒反転手段としての用紙搬送ローラ
ｂ…封筒反転手段としての用紙搬送ローラ
ｇ…封筒反転手段としての用紙搬送ローラ
２７…封筒反転手段としての経路
２８…封筒反転手段としての経路
【図１】
0005612415.tif 000002
【図２】
0005612415.tif 000003
【図３】
0005612415.tif 000004
【図４】
0005612415.tif 000005
【図５】
0005612415.tif 000006
【図６】
0005612415.tif 000007
【図７】
0005612415.tif 000008
【図８】
0005612415.tif 000009
【図９】
0005612415.tif 000010
【図１０】
0005612415.tif 000011